(57)【要約】【課題】広告の放映を依頼したユーザが、放映が実施されたことを確証することが可能とすることを目的とする。【解決手段】広告ＤＢ１１０に記憶された広告情報を該当するスケジュールに応じて公衆ディスプレイ装置１１３に放映するが、放映中に、公衆ディスプレイ映像撮影装置１１４を用いて、公衆ディスプレイ装置１１３に放映されている映像データを撮影し、ディスプレイ２０９で撮影した映像データを表示させることで、依頼者は確認を行うことが可能な屋外広告放映確認装置である。【選択図】図１
2011095804.tif 000002
【特許請求の範囲】
【請求項１】
映像データを表示するための表示装置及び前記表示装置に表示された映像データを撮影するための映像撮影装置が接続された屋外広告放映確認装置であって、
前記表示装置において放映すべく映像データ、及び前記映像データを前記表示装置において放映するスケジュール情報を含む広告情報を記憶する広告情報記憶手段と、
前記広告情報記憶手段に記憶されたスケジュール情報に該当する日程である場合、前記広告情報記憶手段によって記憶された映像データを前記表示装置に表示すると共に、前記表示装置に表示された映像データを前記映像撮影装置によって撮影する放映広告管理手段と、
前記映像撮影装置によって撮影されたことによって得られた映像ログ情報を記憶する映像ログ記憶手段と、
前記映像ログ記憶手段によって記憶された映像ログ情報を表示する広告映像表示手段と、
を備えること特徴とする屋外広告放映確認装置。
【請求項２】
前記屋外広告放映確認装置は、
前記映像撮影装置によって前記表示装置に表示されている映像データの撮影を行うか否かを判定するための放映内容配信有無情報を前記広告情報に対応させて設定する設定手段を更に設け、
前記放映広告管理手段は、前記広告情報記憶手段に記憶されたスケジュール情報に該当する日程であり、かつ前記放映内容配信有無情報が前記映像撮影装置にて撮影を行うことを表す場合、前記広告情報記憶手段によって記憶された映像データを前記表示装置に表示すると共に、前記表示装置に表示された映像データを前記映像撮影装置によって撮影することを特徴とする請求項１に記載の屋外広告放映確認装置。
【請求項３】
前記屋外広告放映確認装置は、前記表示装置の映像データを表示する表示部の前方に配置される対象物を撮影する視聴者映像撮影装置と更に接続されており、
前記設定手段は、前記視聴者映像撮影装置によって前記対象物の撮影を行うか否かを判定するための放映効果配信有無情報を前記広告情報に対応させて設定し、
放映広告管理手段は、前記広告情報記憶手段に記憶されたスケジュール情報に該当する日程であり、かつ前記放映効果配信有無情報が前記視聴者映像撮影装置にて撮影を行うことを表す場合、前記広告情報記憶手段によって記憶された映像データを前記表示装置に表示すると共に、前記映像撮影装置によって前記表示装置に表示された映像データを撮影すると同時に、前記視聴者映像撮影装置によって前記対象物を撮影し、
前記映像ログ記憶手段は、前記映像ログ情報に対応させて前記視聴者映像撮影装置によって撮影されたことによって得られた視聴者実績情報を記憶し、
更に、前記広告映像表示手段によって前記映像ログ記憶手段によって記憶された映像ログ情報を表示すると同時に、映像ログ記憶手段によって記憶された視聴者実績情報を表示する視聴者映像表示手段を備えることを特徴とする請求項２に記載の屋外広告放映確認装置。
【請求項４】
前記映像ログ記憶手段は、撮影された時刻情報を含む前記映像ログ情報及び前記視聴者実績情報を記憶し、
前記広告映像表示手段及び前記視聴者映像表示手段は、前記時刻情報に対応させて前記映像ログ情報及び前記視聴者実績情報を表示することを特徴とする請求項２または３に記載の屋外広告放映確認装置。
【請求項５】
前記映像データを表示させるための前記表示装置を選択可能であることを特徴とする請求項２乃至４に記載の屋外広告放映確認装置。
【請求項６】
前記屋外広告放映確認装置は、前記視聴者実績情報から認識する人に対して前記表示装置を向いている人を前記視聴者実績情報から特定する視聴者解析手段を更に備え、
前記視聴者映像表示手段は、前記視聴者解析手段によって特定された人を識別可能なように表示することを特徴とする請求項３乃至５に記載の屋外広告放映確認装置。
【請求項７】
前記視聴者解析手段は、前記視聴者実績情報から認識する人に対して前記表示装置を向いている人の特性を前記視聴者実績情報から特定し、
前記視聴者映像表示手段は、前記視聴者解析手段によって特定された特性を有する人を識別可能なように表示することを特徴とする請求項３乃至６に記載の屋外広告放映確認装置。
【請求項８】
前記視聴者解析手段は、前記特定された人の総数または前記特定された特性を有する人の総数の少なくとも一方を算定し、
更に、前記視聴者解析手段によって算定された前記特定された人の総数及び前記特定された特性を有する人の前記特性毎の総数を表示する視聴者映像解析結果表示手段を備えたことを特徴とする請求項７に記載の屋外広告放映確認装置。
【請求項９】
前記視聴者解析手段は、前記視聴者実績情報から認識する人の総数に対する前記特定された人の総数または前記特定された特性を有する人の前記特性毎の総数の比率を算定し、
前記視聴者解析手段によって算定された前記視聴者実績情報から認識する人の総数に対する前記特定された人の総数及び前記特定された特性を有する人の前記特性毎の総数の比率を表示する放映効果情報を備えたことを特徴とする請求項８に記載の屋外広告放映確認装置。
【請求項１０】
広告映像表示手段、視聴者映像表示手段、視聴者映像解析結果表示手段、及び放映効果算定結果表示手段は、前記時刻情報に対応させて同時に表示を行うことを特徴とする請求項９に記載の屋外広告放映確認装置。
【請求項１１】
前記屋外広告放映確認装置は、前記時刻情報を指定する表示切替手段を更に備え、
前記表示切替手段によって指定された時刻情報に対応させて、広告映像表示手段、視聴者映像表示手段、視聴者映像解析結果表示手段、及び放映効果算定結果表示手段の表示を行うことを特徴とする請求項１０に記載の屋外広告放映確認装置。
【請求項１２】
前記映像ログ記憶部は、映像データの特徴をカテゴリ化するための付帯情報を含めて記憶し、
前記付帯情報に該当する映像ログ情報及び視聴者実績情報に基づいて放映実績情報を表示する放映実績表示手段を備えたことを特徴とする請求項３乃至１１に記載の屋外広告放映確認装置。
【請求項１３】
映像データを表示するための表示装置と前記表示装置に表示された映像データを撮影するための映像撮影装置と前記表示装置において放映を依頼する映像データ及び前記映像撮影装置によって前記表示装置に表示されている映像データの撮影を行うか否かを判定するための放映内容配信有無情報を含む放映依頼情報を作成する入出力装置とが通信回線を介して接続された屋外広告放映確認システムであって、
前記入出力装置は、
前記放映依頼情報を入力するための入力手段と、
前記入力手段によって入力された放映依頼情報を送信し、前記映像撮影装置によって撮影されたことによって得られた映像ログ情報を受信する放映情報送受信手段と、
前記放映情報送受信手段によって受信した映像ログ情報を記憶する映像ログ記憶手段と、
前記映像ログ記憶手段によって記憶された映像ログ情報を表示する広告映像表示手段と、
前記情報処理装置は、
前記放映情報送受信手段によって送信された放映依頼情報を受信し、前記映像撮影装置によって撮影されたことによって得られた映像ログ情報を前記入出力装置へ送信する広告送受信手段と、
前記広告送受信手段によって受信した放映依頼情報に基づいて、前記映像データ、前記放映内容配信有無情報、及び前記映像データを前記表示装置において放映するスケジュール情報を含む広告情報を記憶する広告情報記憶手段と、
前記広告情報記憶手段に記憶されたスケジュール情報に該当する日程であり、かつ前記放映内容配信有無情報が前記映像撮影装置にて撮影を行うことを表す場合、前記広告情報記憶手段によって記憶された映像データを前記表示装置に表示すると共に、前記表示装置に表示された映像データを前記映像撮影装置によって撮影する放映広告管理手段と、
を備えること特徴とする屋外広告放映確認システム。
【請求項１４】
映像データを表示するための表示装置及び前記表示装置に表示された映像データを撮影するための映像撮影装置が接続された屋外広告放映確認装置の制御方法であって、
前記表示装置において放映すべく映像データ、及び前記映像データを前記表示装置において放映するスケジュール情報を含む広告情報を記憶する広告情報記憶工程と、
前記広告情報記憶工程において記憶されたスケジュール情報に該当する日程である場合、前記広告情報記憶工程において記憶された映像データを前記表示装置に表示すると共に、前記表示装置に表示された映像データを前記映像撮影装置によって撮影する放映広告管理工程と、
前記映像撮影装置によって撮影されたことによって得られた映像ログ情報を記憶する映像ログ記憶工程と、
前記映像ログ記憶工程によって記憶された映像ログ情報を表示する広告映像表示工程と、
を備えること特徴とする屋外広告放映確認装置の制御方法。
【請求項１５】
映像データを表示するための表示装置及び前記表示装置に表示された映像データを撮影するための映像撮影装置が接続された屋外広告放映確認装置として機能させるためのプログラムであって、
前記表示装置において放映すべく映像データ、及び前記映像データを前記表示装置において放映するスケジュール情報を含む広告情報を記憶する広告情報記憶手段と、
前記広告情報記憶手段によって記憶されたスケジュール情報に該当する日程である場合、前記広告情報記憶手段において記憶された映像データを前記表示装置に表示すると共に、前記表示装置に表示された映像データを前記映像撮影装置によって撮影する放映広告管理手段と、
前記映像撮影装置によって撮影されたことによって得られた映像ログ情報を記憶する映像ログ記憶手段と、
前記映像ログ記憶手段によって記憶された映像ログ情報を表示する広告映像表示手段と、
として機能することを特徴とするコンピュータで読取り可能なプログラム。
【請求項１６】
映像データを表示するための表示装置と前記表示装置に表示された映像データを撮影するための映像撮影装置と前記表示装置において放映を依頼する映像データ及び前記映像撮影装置によって前記表示装置に表示されている映像データの撮影を行うか否かを判定するための放映内容配信有無情報を含む放映依頼情報を作成する入出力装置とが通信回線を介して接続された屋外広告放映確認システムの制御方法であって、
前記入出力装置は、
前記放映依頼情報を入力するための入力工程と、
前記入力工程によって入力された放映依頼情報を送信し、前記映像撮影装置によって撮影されたことによって得られた映像ログ情報を受信する放映情報送受信工程と、
前記放映情報送受信工程によって受信した映像ログ情報を記憶する映像ログ記憶工程と、
前記映像ログ記憶工程によって記憶された映像ログ情報を表示する広告映像表示工程と、
前記情報処理装置は、
前記放映情報送受信工程によって送信された放映依頼情報を受信し、前記映像撮影装置によって撮影されたことによって得られた映像ログ情報を前記入出力装置へ送信する広告送受信工程と、
前記広告送受信工程によって受信した放映依頼情報に基づいて、前記映像データ、前記放映内容配信有無情報、及び前記映像データを前記表示装置において放映するスケジュール情報を含む広告情報を記憶する広告情報記憶工程と、
前記広告情報記憶工程に記憶されたスケジュール情報に該当する日程であり、かつ前記放映内容配信有無情報が前記映像撮影装置にて撮影を行うことを表す場合、前記広告情報記憶工程によって記憶された映像データを前記表示装置に表示すると共に、前記表示装置に表示された映像データを前記映像撮影装置によって撮影する放映広告管理工程と、
を備えること特徴とする屋外広告放映確認システムの制御方法。
【請求項１７】
映像データを表示するための表示装置と前記表示装置に表示された映像データを撮影するための映像撮影装置と前記表示装置において放映を依頼する映像データ及び前記映像撮影装置によって前記表示装置に表示されている映像データの撮影を行うか否かを判定するための放映内容配信有無情報を含む放映依頼情報を作成する入出力装置とが通信回線を介して接続された屋外広告放映確認システムとして機能させるためのプログラムであって、
前記入出力装置は、
前記放映依頼情報を入力するための入力手段と、
前記入力手段によって入力された放映依頼情報を送信し、前記映像撮影装置によって撮影されたことによって得られた映像ログ情報を受信する放映情報送受信手段と、
前記放映情報送受信手段によって受信した映像ログ情報を記憶する映像ログ記憶手段と、
前記映像ログ記憶手段によって記憶された映像ログ情報を表示する広告映像表示手段と、
前記情報処理装置は、
前記放映情報送受信手段によって送信された放映依頼情報を受信し、前記映像撮影装置によって撮影されたことによって得られた映像ログ情報を前記入出力装置へ送信する広告送受信手段と、
前記広告送受信手段によって受信した放映依頼情報に基づいて、前記映像データ、前記放映内容配信有無情報、及び前記映像データを前記表示装置において放映するスケジュール情報を含む広告情報を記憶する広告情報記憶手段と、
前記広告情報記憶手段に記憶されたスケジュール情報に該当する日程であり、かつ前記放映内容配信有無情報が前記映像撮影装置にて撮影を行うことを表す場合、前記広告情報記憶手段によって記憶された映像データを前記表示装置に表示すると共に、前記表示装置に表示された映像データを前記映像撮影装置によって撮影する放映広告管理手段と、
として機能することを特徴とするコンピュータで読取り可能なプログラム。
【発明の詳細な説明】
【技術分野】
【０００１】
本発明は、依頼した屋外広告が契約通りに放映されたという確証、及び、屋外広告の放映効果（例えば視聴率）を、ネットワークなどの通信手段を介して依頼者へ配信する屋外広告放映確認装置に関する。
【背景技術】
【０００２】
近年、繁華街におけるビルの屋上や外壁に設置された公衆ディスプレイ装置に広告を放映することによって自社の販売推進等に貢献すべく機会が増加している。
【０００３】
公衆ディスプレイ装置に放映される放映内容については、放映前に放映会社へ放映依頼を行った依頼者と契約が交わされ、契約条件に従い、映像配信技術等を用いて公衆ディスプレイ装置にて放映されるが、契約通りに広告が放映されたか否かについては、依頼者は確認すべく手段が存在しなかった。
【０００４】
そこで、該契約に従って広告の放映が行われているか否かを確証する仕組みとして、公衆ディスプレイ装置にて放映される広告の音声信号を取得することによって確証を行う技術が開示されている（例えば、特許文献１）。
【０００５】
また、広告の放映が行われたか否かに留まらず、広告の放映の効果を算定するために、放映された広告の視聴状態を把握する仕組みとして、公衆ディスプレイ装置に表示された画像情報が見える範囲にいる人々をカメラによって撮影することで、表示画像を見ている視聴者の人数を計数する技術が開示されている（例えば、特許文献２）。
【先行技術文献】
【特許文献】
【０００６】
【特許文献１】特開２００５−３７７７６号公報
【特許文献２】特開２００５−１８２５８９号公報
【発明の概要】
【発明が解決しようとする課題】
【０００７】
しかしながら、特許文献１に記載の技術では、広告が配信され、予め決められた時刻通りに広告が放映されたか否かを、音声信号を取得することによって確証することは記載や示唆はなく、広告が正しく放映されたか否かを放映された映像結果により確証する点については、記載や示唆はない。
【０００８】
また、特許文献２に記載の公衆ディスプレイ管理システムにおいては、表示画像を見ている視聴者と判定した人数について計数を行い、計数された視聴者の人数とその計数期間に表示されていた画像情報の区分とを対応付けして記録を行うが、依頼者が行うべく広告が放映されたことによる様々な効果を算定し表示する点については、記載や示唆はない。そこで、本発明では、広告の放映を依頼したユーザが、放映が実施されたことを確証することが可能である屋外広告放映確認システムを提供する。
【課題を解決するための手段】
【０００９】
上記の目的を達成するための第一の発明は、映像データを表示するための表示装置及び前記表示装置に表示された映像データを撮影するための映像撮影装置が接続された屋外広告放映確認装置であって、前記表示装置において放映すべく映像データ、及び前記映像データを前記表示装置において放映するスケジュール情報を含む広告情報を記憶する広告情報記憶手段と、前記広告情報記憶手段に記憶されたスケジュール情報に該当する日程である場合、前記広告情報記憶手段によって記憶された映像データを前記表示装置に表示すると共に、前記表示装置に表示された映像データを前記映像撮影装置によって撮影する放映広告管理手段と、前記映像撮影装置によって撮影されたことによって得られた映像ログ情報を記憶する映像ログ記憶手段と、前記映像ログ記憶手段によって記憶された映像ログ情報を表示する広告映像表示手段と、を備えること特徴とする。
【００１０】
上記の目的を達成するための第二の発明は、映像データを表示するための表示装置と前記表示装置に表示された映像データを撮影するための映像撮影装置と前記表示装置において放映を依頼する映像データ及び前記映像撮影装置によって前記表示装置に表示されている映像データの撮影を行うか否かを判定するための放映内容配信有無情報を含む放映依頼情報を作成する入出力装置とが通信回線を介して接続された屋外広告放映確認システムであって、前記入出力装置は、前記放映依頼情報を入力するための入力手段と、前記入力手段によって入力された放映依頼情報を送信し、前記映像撮影装置によって撮影されたことによって得られた映像ログ情報を受信する放映情報送受信手段と、前記放映情報送受信手段によって受信した映像ログ情報を記憶する映像ログ記憶手段と、前記映像ログ記憶手段によって記憶された映像ログ情報を表示する広告映像表示手段と、前記情報処理装置は、前記放映情報送受信手段によって送信された放映依頼情報を受信し、前記映像撮影装置によって撮影されたことによって得られた映像ログ情報を前記入出力装置へ送信する広告送受信手段と、前記広告送受信手段によって受信した放映依頼情報に基づいて、前記映像データ、前記放映内容配信有無情報、及び前記映像データを前記表示装置において放映するスケジュール情報を含む広告情報を記憶する広告情報記憶手段と、前記広告情報記憶手段に記憶されたスケジュール情報に該当する日程であり、かつ前記放映内容配信有無情報が前記映像撮影装置にて撮影を行うことを表す場合、前記広告情報記憶手段によって記憶された映像データを前記表示装置に表示すると共に、前記表示装置に表示された映像データを前記映像撮影装置によって撮影する放映広告管理手段と、を備えたことを特徴とする。
【００１１】
上記の目的を達成するための第三の発明は、映像データを表示するための表示装置及び前記表示装置に表示された映像データを撮影するための映像撮影装置が接続された屋外広告放映確認装置の制御方法であって、前記表示装置において放映すべく映像データ、及び前記映像データを前記表示装置において放映するスケジュール情報を含む広告情報を記憶する広告情報記憶工程と、前記広告情報記憶工程において記憶されたスケジュール情報に該当する日程である場合、前記広告情報記憶工程において記憶された映像データを前記表示装置に表示すると共に、前記表示装置に表示された映像データを前記映像撮影装置によって撮影する放映広告管理工程と、前記映像撮影装置によって撮影されたことによって得られた映像ログ情報を記憶する映像ログ記憶工程と、前記映像ログ記憶工程によって記憶された映像ログ情報を表示する広告映像表示工程と、を備えること特徴とする。
【００１２】
上記の目的を達成するための第四の発明は、映像データを表示するための表示装置及び前記表示装置に表示された映像データを撮影するための映像撮影装置が接続された屋外広告放映確認装置として機能させるためのプログラムであって、前記表示装置において放映すべく映像データ、及び前記映像データを前記表示装置において放映するスケジュール情報を含む広告情報を記憶する広告情報記憶手段と、前記広告情報記憶手段によって記憶されたスケジュール情報に該当する日程である場合、前記広告情報記憶手段において記憶された映像データを前記表示装置に表示すると共に、前記表示装置に表示された映像データを前記映像撮影装置によって撮影する放映広告管理手段と、前記映像撮影装置によって撮影されたことによって得られた映像ログ情報を記憶する映像ログ記憶手段と、前記映像ログ記憶手段によって記憶された映像ログ情報を表示する広告映像表示手段として機能することを特徴とする。
【００１３】
上記の目的を達成するための第五の発明は、映像データを表示するための表示装置と前記表示装置に表示された映像データを撮影するための映像撮影装置と前記表示装置において放映を依頼する映像データ及び前記映像撮影装置によって前記表示装置に表示されている映像データの撮影を行うか否かを判定するための放映内容配信有無情報を含む放映依頼情報を作成する入出力装置とが通信回線を介して接続された屋外広告放映確認システムの制御方法であって、前記入出力装置は、前記放映依頼情報を入力するための入力工程と、前記入力工程によって入力された放映依頼情報を送信し、前記映像撮影装置によって撮影されたことによって得られた映像ログ情報を受信する放映情報送受信工程と、前記放映情報送受信工程によって受信した映像ログ情報を記憶する映像ログ記憶工程と、前記映像ログ記憶工程によって記憶された映像ログ情報を表示する広告映像表示工程と、前記情報処理装置は、前記放映情報送受信工程によって送信された放映依頼情報を受信し、前記映像撮影装置によって撮影されたことによって得られた映像ログ情報を前記入出力装置へ送信する広告送受信工程と、前記広告送受信工程によって受信した放映依頼情報に基づいて、前記映像データ、前記放映内容配信有無情報、及び前記映像データを前記表示装置において放映するスケジュール情報を含む広告情報を記憶する広告情報記憶工程と、前記広告情報記憶工程に記憶されたスケジュール情報に該当する日程であり、かつ前記放映内容配信有無情報が前記映像撮影装置にて撮影を行うことを表す場合、前記広告情報記憶工程によって記憶された映像データを前記表示装置に表示すると共に、前記表示装置に表示された映像データを前記映像撮影装置によって撮影する放映広告管理工程と、を備えたことを特徴とする。
【００１４】
上記の目的を達成するための第六の発明は、  映像データを表示するための表示装置と前記表示装置に表示された映像データを撮影するための映像撮影装置と前記表示装置において放映を依頼する映像データ及び前記映像撮影装置によって前記表示装置に表示されている映像データの撮影を行うか否かを判定するための放映内容配信有無情報を含む放映依頼情報を作成する入出力装置とが通信回線を介して接続された屋外広告放映確認システムとして機能させるためのプログラムであって、前記入出力装置は、前記放映依頼情報を入力するための入力手段と、前記入力手段によって入力された放映依頼情報を送信し、前記映像撮影装置によって撮影されたことによって得られた映像ログ情報を受信する放映情報送受信手段と、前記放映情報送受信手段によって受信した映像ログ情報を記憶する映像ログ記憶手段と、前記映像ログ記憶手段によって記憶された映像ログ情報を表示する広告映像表示手段と、前記情報処理装置は、前記放映情報送受信手段によって送信された放映依頼情報を受信し、前記映像撮影装置によって撮影されたことによって得られた映像ログ情報を前記入出力装置へ送信する広告送受信手段と、前記広告送受信手段によって受信した放映依頼情報に基づいて、前記映像データ、前記放映内容配信有無情報、及び前記映像データを前記表示装置において放映するスケジュール情報を含む広告情報を記憶する広告情報記憶手段と、前記広告情報記憶手段に記憶されたスケジュール情報に該当する日程であり、かつ前記放映内容配信有無情報が前記映像撮影装置にて撮影を行うことを表す場合、前記広告情報記憶手段によって記憶された映像データを前記表示装置に表示すると共に、前記表示装置に表示された映像データを前記映像撮影装置によって撮影する放映広告管理手段として機能することを特徴とする。
【発明の効果】
【００１５】
本発明によれば、広告の放映を依頼したユーザが、放映が実施されたことを確証することが可能となる。
【図面の簡単な説明】
【００１６】
【図１】本発明の実施形態の屋外広告放映確認システムの概略構成を示すシステム構成図である。
【図２】本発明の実施形態の屋外広告放映確認システムにおけるハードウェアの概略構成を示す構成図である。
【図３】本発明の実施形態の屋外広告放映確認システムの広告を放映するための条件を入力するための画面の一例を示す構成図である。
【図４】本発明の実施形態において広告に関する基本的な広告情報を記憶するための広告ＤＢの構成図である。
【図５】本発明の実施形態において放映スケジュールを記憶するための放映スケジュールＤＢの構成図である。
【図６】本発明の実施形態においてディスプレイ装置に放映された広告の映像、視聴者の映像を記憶するための映像ログＤＢの構成図である。
【図７】本発明の実施形態において依頼者が放映効果を分析するための画面の一例を示す構成図である。
【図８】本発明の実施形態において視聴者実績情報の一例を説明するための説明図である。
【図９】本発明の実施形態において視聴者解析結果情報を記憶するための放映効果算定結果ＤＢの構成図である。
【図１０】本発明の実施形態において放映効果情報を記憶するための放映効果算定結果ＤＢの構成図である。
【図１１】本発明の実施形態において付帯情報の一例を説明するための説明図である。
【図１２】本発明の実施形態において付帯情報の他例を説明するための説明図である。
【図１３】本発明の実施形態の屋外広告放映確認システムにおける基本的な処理を示すフローチャートである。
【図１４】本発明の実施形態の屋外広告放映確認システムにおける基本的な処理を示すフローチャートである。
【図１５】本発明の実施形態の屋外広告放映確認システムにおける放映効果を分析する処理を示すフローチャートである。
【発明を実施するための形態】
【００１７】
以下、図面を参照して、本発明の実施形態を詳細に説明する。
図１は、本発明の実施形態に係る屋外広告放映確認システムの基本的な概略構成を示す構成図である。
【００１８】
外部入出力機器１０１は、パーソナルコンピュータやサーバ等の情報処理端末装置を表しており、放映広告制御装置１０７（詳細後述）とのデータの送受信を行うための放映情報送受信手段１０２、放映を依頼した依頼者自身が放映された効果を分析する放映効果分析手段１０３、放映する広告映像をデータとして記憶する放映広告データベース（以降、ＤＢ）１０４、放映による結果、放映による効果について更に分析算定された結果を記憶する広告放映結果ＤＢ１０５、放映依頼及び放映効果を表示するための表示手段１２２を有している。
【００１９】
依頼者は、外部入出力機器１０１に備えられた表示手段１２２に対してマウス等のユーザインターフェース（不図示）を用いて、広告を放映するための条件等を取り決めるための契約情報（以下、広告放映内容条件情報）を入力した後、インターネット等の通信回線を表す通信手段１０６を介して、放映したい広告映像データと共に広告放映内容条件情報を放映広告制御装置１０７に送信する。
【００２０】
放映広告制御装置１０７は、放映広告管理手段１０８、広告送受信手段１０９、広告ＤＢ１１０、放映スケジュールＤＢ１１１、及び映像結果送受信手段１１２を備えており、公衆ディスプレイ装置１１３（詳細後述）にて放映された広告の結果、及び、放映による効果を算定した結果を同じく通信手段１０６を介して外部入出力機器１０１へ送信する。
【００２１】
広告送受信手段１０９は、外部入出力機器１０１から送信された広告映像データ及び広告放映内容条件情報を受信すると共に、放映予定の広告に関する広告情報を記憶するための広告ＤＢ１１０と、広告映像データ及び広告放映内容条件情報を記憶するための放映スケジュールＤＢ１１１と、ビルの屋上や外壁等に設置された広告を放映することが可能な公衆ディスプレイ装置１１３の各々へ広告映像データを送信するが、これらの機能は、放映広告管理手段１０８によって制御されている。
【００２２】
また、放映広告管理手段１０８は、放映スケジュールＤＢ１１１に記憶された広告放映内容条件情報に含まれる放映内容配信有無条件と放映効果配信有無条件を取得する。
【００２３】
そして、放映広告管理手段１０８は、放映内容配信有無条件が“有”の場合、公衆ディスプレイ装置１１３に接続された公衆ディスプレイ映像撮影装置１１４によって、広告の放映を撮影するよう動作信号を送信し、公衆ディスプレイ映像撮影装置１１４は、当該動作信号を受信したタイミングで撮影を開始する。
【００２４】
そして、放映ログ確認装置１１６（詳細後述）に備えられた放映結果送受信手段１１７を介して、撮影した放映データを映像ログ情報として映像ログＤＢ１１８へ記憶する。尚、放映データに関しては撮影時の時刻をフレーム単位で記憶することが可能であり、映像ログ情報にも撮影時刻情報をフレーム単位で有している。
【００２５】
また、放映広告管理手段１０８は、広告放映内容条件情報に含まれる放映効果配信有無条件が“有”の場合、公衆ディスプレイ装置１１３に接続され、かつ公衆ディスプレイ装置１１３の前方に配置される対象物を撮影するための視聴者映像撮影装置１１５に対して、公衆ディスプレイ装置１１３に放映された広告に対する視聴者の状況を撮影するよう動作信号を送信し、視聴者映像撮影装置１１５は、当該動作信号を受信したタイミングで撮影を開始する。
【００２６】
そして、放映ログ確認装置１１６に備えられた放映結果送受信手段１１７を介して、撮影した視聴者データを視聴者実績情報として映像ログＤＢ１１８へ記憶する。
【００２７】
尚、視聴者データに関しては、映像データと同様に撮影時の時刻をフレーム単位で記憶することが可能であり、視聴者実績情報にも撮影時刻情報をフレーム単位で有している。
【００２８】
放映ログ確認装置１１６は、放映結果送受信手段１１７、映像ログＤＢ１１８、動画処理手段１１９、放映効果算定手段１２０、放映効果算定結果ＤＢ１２１を備えている。
【００２９】
放映結果送受信手段１１７は、公衆ディスプレイ映像撮影装置１１４及び視聴者映像撮影装置１１５から撮影された映像ログ情報、視聴者実績情報を受信し、映像ログＤＢ１１８へ記憶する。
【００３０】
動画処理手段１１９は、映像ログＤＢ１１８に記憶された視聴者実績情報について動画解析を行い、動画解析を行った結果を視聴者解析結果情報として映像ログＤＢ１１８及び放映効果算定結果ＤＢ１２１へ記憶する。
【００３１】
放映効果算定手段１２０は、放映効果算定結果ＤＢ１２１に記憶された視聴者解析結果情報を取得し、視聴者解析結果情報に対して放映効果を算定し、算定した結果を放映効果情報として放映効果算定結果ＤＢ１２１へ記憶する。
【００３２】
また、放映広告制御装置１０７の放映広告管理手段１０８は、広告放映内容条件情報に含まれる放映内容配信有無条件が“有”の場合、映像ログＤＢ１１８に記憶された映像ログ情報を、また、放映効果配信有無条件が“有”の場合、映像ログＤＢ１１８に記憶された放映効果算定結果に関する情報が放映結果送受信手段１１７によって放映広告制御装置１０７へ送信される。
【００３３】
映像結果送受信手段１１２は、放映ログ確認装置１１６から送信された映像ログ情報、視聴者実績情報、視聴者解析結果情報、及び放映効果情報を受信した後、受信した映像ログ情報、視聴者実績情報、視聴者解析結果情報、及び放映効果情報を外部入出力機器１０１に通信手段１０６を介して送信する。
【００３４】
外部入出力機器１０１は、放映情報送受信手段１０２によって受信した映像ログ情報、視聴者実績情報、視聴者解析結果情報、及び放映効果情報を広告放映結果ＤＢ１０５に記憶する。
【００３５】
外部入出力機器１０１に備えられた放映効果分析手段１０３は、広告放映結果ＤＢ１０５に記憶された映像ログ情報、視聴者実績情報、視聴者解析結果情報、及び放映効果情報、及び、放映広告ＤＢ１０４に記憶された広告情報に含まれる広告映像データを取得し、これらの広告放映効果を外部入出力機器１０１に備えられた表示手段１２２に表示させ、依頼者の入力指示に対して対話的に分析を行う。
図２には、放映広告制御装置１０７のハードウェアの概略構成が示されている。
【００３６】
２００は、ＣＰＵを示しており、各処理を実行するために必要なプログラム等をＲＯＭ２０１あるいは外部メモリ２１０からＲＡＭ２０２にロードして、ロードしたプログラムを実行することで各種動作を実現し、システムバス２０３に接続される各デバイスやコントローラを統括的に制御する。
【００３７】
また、ＲＯＭ２０１あるいは外部メモリ２１０には、ＣＰＵ２００の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。２０３は、ＲＡＭで、ＣＰＵ２００の主メモリ、ワークエリア等として機能する。
【００３８】
また、２０４は入力コントローラで、キーボード２０８や不図示のマウス等のポインティングデバイス等からの入力を制御する。２０５はビデオコントローラで、ディスプレイ２０９等の表示器への表示を制御する。なお、図２では、ディスプレイ２０９と記載しているが、表示器は、ＣＲＴだけでなく、液晶ディスプレイ等の他の表示器であってもよい。
【００３９】
なお、ＣＰＵ２００は、例えばＲＡＭ２０２の表示情報用領域へアウトラインフォントの展開（ラスタライズ）処理を実行することにより、ディスプレイ２０９での表示を可能としている。また、ＣＰＵ２００は、ディスプレイ２０９の不図示のマウスカーソル等でのユーザ指示を可能とする。
【００４０】
２０６はメモリコントローラで、ブートプログラム、各種のアプリケーション、フォントデータ、ユーザファイル、編集ファイル、各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１０へのアクセスを制御する。
【００４１】
２０７は通信Ｉ／Ｆコントローラで、ネットワーク（図１に示した通信手段１０６）を介して外部機器と接続・通信するものであり、ネットワークでの通信制御処理を実行する。例えば、ＴＣＰ／ＩＰを用いた通信等が可能である。
【００４２】
本発明を実現するための後述する各種プログラムは、外部メモリ２１０に記録されており、必要に応じてＲＡＭ２０２にロードされることによりＣＰＵ２００によって実行されるものである。
【００４３】
さらに、上記プログラムの実行時に用いられる定義ファイル及び各種情報テーブル等も、外部メモリ２１０に格納されており、これらについての詳細な説明も後述する。
【００４４】
図３は、公衆ディスプレイ装置１１３に広告の放映依頼を行う依頼者が、依頼時に使用する広告放映申込入力画面３００の一例を示しており、広告放映申込入力画面３００は、外部入出力機器１０１のディスプレイ２０９に表示される。尚、放映広告制御装置１０７、放映ログ確認装置１１６も同様なハードウェア構成を有するため説明を省略し、以降、同一の符号を用いて説明を行う。
【００４５】
広告放映申込入力画面３００は、依頼者が所続する御社名３０１及び部署名３０２、会社の住所（所在地）３０３、会社の代表者氏名３０４、依頼者の担当者氏名３０５、電話番号３０６、ＦＡＸ番号３０７、及びメールアドレス３０８、更に、依頼者の会社のホームページのＵＲＬ３０９等に関する情報を各欄に入力することが可能である。
【００４６】
また、広告放映申込入力画面３００は、放映依頼の対象となる広告に関して、名称を入力するための広告名称３１０、広告の内容に関する概要を入力するための広告概要３１１、広告の放映についての希望期間を入力するための放映希望期間３１２、放映希望期間においても曜日を指定して放映する場合に対応するための曜日指定３１３、放映希望時間３１４、放映希望期間における放映回数の希望回数を入力するための放映希望回数３１５、放映時間３１６、及び放映されるエリア、およびエリア内における設備を特定するための放映場所３１７等に関する情報を各欄に入力あるいは各欄に予め設定された情報から選択可能である。
【００４７】
また、広告放映申込入力画面３００は、公衆ディスプレイ装置１１３に広告が放映されたことを確証するために、放映中の公衆ディスプレイ装置１１３の広告を撮影するか否かを選択するために放送内容の配信３１８欄を設けており、公衆ディスプレイ装置１１３に放映されている広告を撮影する場合は、要を選択し、公衆ディスプレイ装置１１３に放映されている広告を撮影しない場合は、不要を選択する。
【００４８】
また、広告放映申込入力画面３００は、公衆ディスプレイ装置１１３に放映されている広告を公衆ディスプレイ映像撮影装置１１４によって撮影した映像ログ情報、視聴者映像撮影装置１１５にて撮影された視聴者実績情報に基づいて算定された、視聴者解析結果情報及び放映効果情報を配信して受け取るか否かを選択するための放映効果分析結果の配信３１９欄を備えており、映像ログ情報、視聴者実績情報、視聴者解析結果情報、及び放映効果情報を配信して受け取る場合は、要を選択し、映像ログ情報、視聴者実績情報、視聴者解析結果情報、及び放映効果情報を配信して受け取らない場合は、不要を選択する。
【００４９】
また、広告放映申込入力画面３００は、依頼者が参画する業界を設定するための業界区分３２０、映像ログ情報、視聴者実績情報、視聴者解析結果情報、及び放映効果情報の配信先のＩＰアドレス等によって特定されるアドレスを入力するための配信先アドレス３２１欄を備えている。
【００５０】
また、広告放映申込入力画面３００は、全ての映像ログ情報、視聴者実績情報、視聴者解析結果情報、及び放映効果情報について配信して受け取るか、あるいは回数を指定して、指定回数分だけ配信して受け取るかを選択することが可能な配信希望回数３２２を備えている。
【００５１】
更に、配信情報取得ＩＤ３２３及び配信情報取得パスワード３２４の各欄に入力を行うことで、映像ログ情報、視聴者実績情報、視聴者解析結果情報、及び放映効果情報を参照する際に、入力した配信情報取得ＩＤ３２３及び配信情報取得パスワード３２４を用いて参照が可能となるようアクセス制御を行うことが可能である。
【００５２】
更に、依頼者が広告選択ボタン３２５を押下すると、外部入出力機器１０１の放映広告ＤＢ１０４に記憶された広告映像データを選択することが可能となり、これらの広告放映内容条件情報が各欄に入力された後、依頼者が申請ボタン３２６を押下すると、広告映像データ及び広告放映内容条件情報が放映情報送受信手段によって通信手段１０６を介して放映広告制御装置１０７に送信される。
【００５３】
図４は、広告放映申込入力画面３００によって選択及び入力された広告映像データ及び広告放映内容条件情報に基づいて、広告に関する基本的な広告情報を記憶するための広告ＤＢ１１０の構成が示されており、広告ＤＢ１１０は、広告を一意に識別するための広告ＩＤ４０１、広告放映申込入力画面３００で入力された放映希望期間３１２、曜日指定３１３、放映希望時間３１４、放映希望回数３１５、及び放映時間３１６等に基づいて定められた広告を放映する日程を設定するための広告放映日時４０２、放映場所３１７に対応する広告放映場所４０３、放送内容の配信３１８に対応する放映内容配信有無４０４、放映効果分析結果の配信３１９に対応する放映効果配信有無４０５、御社名３０１に対応する顧客４０６、配信先アドレス３２１に対応する放映結果の配信先（例えば、電子メールのアドレス等）を設定するための放映結果配信元４０７が備えられている。
【００５４】
図４では、広告ＤＢ１１０の一例を示しているが、広告ＩＤに対応させて広告放映申込入力画面３００で入力された御社名３０１、部署名３０２、住所（所在地）３０３、代表者氏名３０４、担当者氏名３０５、電話番号３０６、ＦＡＸ番号３０７、メールアドレス３０８、ＵＲＬ３０９、広告名称３１０、広告概要３１１、業界区分３２０、配信希望回数３２２、配信情報取得ＩＤ３２３、配信情報取得パスワード３２４等を記憶させ、放映効果の分析を行う際の資源とすることが可能である。
【００５５】
図５は、広告放映申込入力画面３００で入力された広告映像データ及び広告放映内容条件情報に基づいて、広告の放映スケジュール情報を記憶するための放映スケジュールＤＢ１１１の構成が示されており、放映スケジュールＤＢ１１１は、広告放映日時４０２の年月日に対応する放映年月日５０１、広告放映日時４０２の日程に対応する放映時刻５０２、広告放映場所４０３に対して一意に場所を識別するための場所識別情報を記憶する放映場所５０３、放映内容配信有無４０４に対応する放映内容配信有無５０４、放映効果配信有無４０５に対応する放映効果配信有無５０５、広告ＩＤ４０１に対応する広告ＩＤ５０６、広告ＩＤ５０６に対応する広告映像データを記憶するための広告映像５０７を備えている。
【００５６】
図６は、公衆ディスプレイ装置１１３において放映された広告を公衆ディスプレイ映像撮影装置１１４にて撮影した映像ログ情報、視聴者映像撮影装置１１５にて撮影された視聴者実績情報を記憶するための映像ログＤＢ１１８の構成が示されている。
【００５７】
映像ログＤＢ１１８は、広告を一意に識別するための広告ＩＤ６０１、映像ログ情報を記憶する放映広告映像６０２、視聴者実績情報を記憶する放映視聴者映像６０３、視聴者実績情報を動画処理手段によって動画解析を行った視聴者解析結果情報を記憶する視聴者解析結果情報６０４、放映効果算定手段１２０によって算定された放映効果情報が記憶される放映効果算定結果６０５を備えている。
【００５８】
図７は、外部入出力機器１０１に備えられたディスプレイ２０９に表示された放映結果を表示するための広告結果表示画面７００の一例を示す構成図であり、広告結果表示画面７００は、広告映像の映像ログ情報を表示する広告映像表示部７０１と、視聴者に関する視聴者実績情報を表示する視聴者映像表示部７０２、視聴者映像を映像解析した視聴者解析結果情報を表示する視聴者映像解析結果表示部７０３と、表、グラフ等の放映効果情報を表示する放映効果算定結果表示部７０４と、スライダーによりタイムフレームを指定することで各表示部の表示切替を行うためのタイムフレーム切替スライダー７０５と、前記の各表示部の内容変更、切替を操作するためのアイコン群を配置したメニューバー７０６を含んで構成されている。
【００５９】
メニューバー７０６には、例えば、各表示部に表示すべく情報を検索するための検索ボタン７０７、各表示部に表示されている映像を再生するための再生ボタン７０８、コマ送りを行うためのコマ送りボタン７０９、各表示部に表示された情報に対して同期再生を行う同期再生ボタン７１０、再生、コマ送り、同期再生時にこれらの処理を停止するための停止ボタン７１１、放映効果算定結果表示部７０４に表示された放映効果情報について更に詳細に分析を行うための詳細分析ボタン７１２が備えられている。尚、この図７に示される構成は、一例であり、表示部の上下、メニューバーの配置等は、特に制限がある訳ではない。図８は、動画処理手段１１９によって視聴者実績情報に対して動画解析が行われていることを説明するための説明図である。例えば、公衆ディスプレイ装置１１３の前を横切った人間に対して移動体認識を行い、認識された人数をカウントする。
【００６０】
更に、人間と認識した移動体に対して移動体解析、及び顔認識に基づいて、性別の分類や公衆ディスプレイ装置１１３に顔を向けている人数で分類した結果をカウントする映像解析を行う。
【００６１】
これらの映像解析結果を視聴者映像表示部７０２に表示するが、表示を行う際に、顔認識された対象に対して公衆ディスプレイ装置１１３に向いていると判断された顔を識別可能なように表示（識別表示８０１）することが可能であり、かつ移動体認識された対象に対して女性を識別可能なように表示（識別表示８０２）することが可能である。尚、映像の移動体解析技術、性別や顔の表情等の特性や、顔の向きを捉える顔認識技術は、公知の技術を利用するものとする。
【００６２】
図９には、視聴者実績情報について移動体解析をした結果である視聴者解析結果情報の一例が示されており、移動体として認識された総数、人間と認識した移動体の移動パターンを解析した結果、公衆ディスプレイ装置１１３の前で立ち止まった人数、人間と認識した移動体の移動パターンを解析した結果、公衆ディスプレイ装置１１３を向いている人数、人間と認識した移動体の顔認識、服装、及び体型等の解析結果に基づいて、推定される特性毎（例えば、男性の人数あるいは女性）の人数等を含んで構成されている。視聴者解析結果情報については、映像ログＤＢ１１８の視聴者解析結果情報６０４に記憶されている。
【００６３】
これらの各情報を、図９に示される横列のタイムフレーム１、２、３、４、５のように時系列的に記憶することが可能である。タイムフレームについては、視聴者実績情報に含まれるフレーム単位に記録された撮影時刻情報に対応している。
【００６４】
次に、図１０には、放映効果情報の一例を示しており、図９に示される各データを基に、移動体として認識された総数に対する各人数の比率を算定することで、広告の放映による効果を記憶している。こちらのタイムフレームについても、視聴者実績情報に含まれるフレーム単位の撮影時刻に対応している。
【００６５】
尚、図９に示される視聴者解析結果情報と図１０に示される放映効果情報については、同一の構成を示しており、放映効果算定結果ＤＢ１２１に記憶されるが、視聴者解析結果情報及び放映効果情報は広告ＩＤに対応して記憶されており、また、相互の情報を識別するための識別情報を備えることで、１つのＤＢへ相互の情報を記憶することが可能である。
【００６６】
図１１には、事前に調査、登録済みの放映場所に関する統計を集計した付帯情報の一例を示しており、映像解析結果を評価するために使用することが可能となる。尚、付帯情報は、特定の公衆ディスプレイ装置の前を通過する大衆に関する街角調査、アンケート等を用いてカテゴリ化を行って収集することが可能である。
【００６７】
付帯情報については、広告結果表示画面７００の詳細分析ボタン７１２が依頼者によって押下された場合、外部入出力機器１０１の表示手段１２２（ディスプレイ２０９）に表示される。
【００６８】
更に、付帯情報として、図１２には、今回の放映広告と内容が同じ過去に放映された実績を放映スケジュールＤＢ１１１の広告放映内容条件情報を取得して外部入出力機器１０１のディスプレイ２０９に表示する共に、過去に放映された実績を放映広告算定結果ＤＢから取得し、外部入出力機器１０１の表示手段１２２（ディスプレイ２０９）に任意にカテゴリ化されたものを表示する。内容が同じ広告放映内容条件情報を取得する際には、同じ広告放映内容条件情報の項目数に応じて表示するようにしても良い。
【００６９】
今回の放映広告の実績と過去に放映された放映効果について放映実績表示を行い、表示された実績を比較する事により、今回依頼した広告の放映効果の位置付けを確認することができる。
【００７０】
また、広告の放映効果の相違と放映内容の相違等から、今後の広告戦略（広告内容、放映時間帯、エリア等）を立てる上での有用な情報源を収集することができる。
【００７１】
次に図１３及び図１４を用いて、屋外広告放映確認システム１００の基本的な処理について説明する。尚、本処理における各ステップは、図２に示されるＣＰＵ２００の制御下の元に処理が実行される。
【００７２】
ステップＳ１００では、広告を依頼する依頼者は、広告放映申込入力画面３００を使用して、放映したい広告映像データと共に広告放映内容条件情報を放映広告ＤＢ１０４に登録する。
【００７３】
広告映像データは、広告放映申込入力画面３００の広告選択ボタン３２５が押下されると外部入出力機器１０１のＲＯＭ２０１に記憶された広告映像データを指定することで登録することが可能となる。
【００７４】
ステップＳ１０２では、広告映像データと共に広告放映内容条件情報からなる広告放映依頼情報が、放映情報送受信手段１０２によって通信手段１０６を介して放映広告制御装置１０７に送信される。
【００７５】
ステップＳ１０４では、放映広告制御装置１０７における広告送受信手段１０９によって広告放映依頼情報を受信した後、ステップＳ１０６に進み、ステップＳ１０６では、広告放映内容条件情報を広告ＤＢ１１０に記憶し、ステップＳ１０８では、広告映像データと共に広告放映内容条件情報を放映スケジュールＤＢ１１１へ記憶する。
【００７６】
ステップＳ１１０では、放映広告制御装置１０７のＯＳが有するシステムの日付を取得することによって現在時刻とし、現在時刻と一致する放映スケジュールＤＢ１１１に記憶された放映スケジュール情報に含まれる放映年月日５０１、放映時刻５０２
が存在するか否かを判定することで、放映を行うべく日程である広告が存在するか否かを判定し、一致する放映スケジュール情報が存在する場合は、ステップＳ１１２へ処理を進め、存在しない場合は、処理を終了する。
【００７７】
ステップＳ１１２では、一致した放映スケジュール情報をＲＡＭ２０２へ記憶し、ステップＳ１１４では、ＲＡＭ２０２へ記憶した放映スケジュール情報に含まれる広告ＩＤ５０６を取得した後、取得した広告ＩＤ５０６に該当する放映場所５０３に記憶された場所識別情報を取得する。
【００７８】
ステップＳ１１６では、ステップＳ１１４で取得した場所識別情報に対応する場所に設置された公衆ディスプレイ装置１１３に広告映像データを広告送受信手段１０９によって送信する。
【００７９】
また、広告映像データを送信すると共に、放映スケジュール情報に含まれる放映内容配信有無５０４、放映効果配信有無５０５に記憶された情報に基づいて、公衆ディスプレイ映像撮影装置１１４及び視聴者映像撮影装置１１５によって、公衆ディスプレイ装置１１３に放映された広告を撮影するか否か、公衆ディスプレイ装置１１３の視聴者の撮影を行うか否かを判定し、撮影を行う場合は、公衆ディスプレイ映像撮影装置１１４、視聴者映像撮影装置１１５を作動させる作動信号を送信する。
【００８０】
放映内容配信有無５０４が有の場合、公衆ディスプレイ映像撮影装置１１４を動作させる作動信号を送信し、放映効果配信有無５０５が有の場合、視聴者映像撮影装置１１５を動作させる作動信号を送信する。
【００８１】
放映内容配信有無５０４が有であり、かつ放映効果配信有無５０５が有である場合、公衆ディスプレイ映像撮影装置１１４及び視聴者映像撮影装置１１５を動作させるための作動信号を送信する。
【００８２】
ステップＳ１１８では、ステップＳ１１６で放映広告制御装置１０７に備えられた広告送受信手段１０９によって送信された広告映像データ及び作動信号を受信した後、ステップＳ１２０では、受信した広告映像データを公衆ディスプレイ装置１１３に表示する。
【００８３】
ステップＳ１２２では、ステップＳ１１８で受信した作動信号に基づいて、放映内容配信有無５０４が有である（作動信号を受信）か、無（動作信号を受信せず）であるかを判定し、有である場合は、ステップＳ１２４へ処理を進め、無である場合は、ステップＳ１２６へ処理を進める。
【００８４】
ステップＳ１２４では、公衆ディスプレイ装置１１３に放映された広告映像データを公衆ディスプレイ映像撮影装置１１４によって撮影した後、公衆ディスプレイ映像撮影装置１１４の記憶領域へ映像ログ情報として記憶する。
【００８５】
ステップＳ１２６では、ステップＳ１１８で受信した作動信号に基づいて、放映効果配信有無５０５が有（作動信号を受信）であるか無（作動信号を受信せず）であるかを判定し、有である場合は、ステップＳ１２８へ処理を進め、無である場合は、ステップＳ１３０へ処理を進める。
【００８６】
ステップＳ１２８では、公衆ディスプレイ装置１１３を視聴する視聴者映像を視聴者映像撮影装置１１５によって撮影を行いつつ撮影時刻情報を各フレームへ記録した後、視聴者映像撮影装置１１５の記憶領域へ視聴者実績情報として記憶する。
【００８７】
ステップＳ１３０では、ステップＳ１２４及びステップＳ１２８において記憶領域へ記憶された映像ログ情報及び視聴者実績情報を放映ログ確認装置１１６に備えられた放映結果送受信手段１１７へ送信し、ステップＳ１３２では、ステップＳ１３０で受信した映像ログ情報及び視聴者実績情報を受信し、ステップＳ１３４では、ステップＳ１３２で受信した映像ログ情報及び視聴者実績情報を映像ログＤＢ１１８の放映広告映像６０２に記憶する。
【００８８】
ステップＳ１３６では、前述の通り、映像ログＤＢ１１８の放映広告映像６０２に記憶された視聴者実績情報を動画処理手段１１９によって動画解析を行い、ステップＳ１３８では、動画解析を行った結果を、図９に示されるデータ形式で視聴者解析結果情報として放映効果算定結果ＤＢ１２１に記憶した後、図９に示される形式のイメージデータを映像ログＤＢ１１８の視聴者解析結果情報６０４に記憶する。
【００８９】
ステップＳ１４０では、映像ログＤＢ１１８の視聴者解析結果情報６０４に記憶された視聴者解析結果情報に対して、放映効果算定手段１２０により放映効果を算定し、ステップＳ１４２では、算定した結果を図１０に示されるデータ形式で放映効果情報としてタイムフレーム単位で放映効果算定結果ＤＢ１２１に記憶した後、図１０に示される形式のイメージデータを映像ログＤＢ１１８の放映効果算定結果６０５に記憶する。尚、放映効果の算定方法は予め設定され、放映効果算定手段１２０に設定済みとする。例えば、前述した図１０に示される通りである。
【００９０】
ステップＳ１４４では、ステップＳ１４０にて映像ログＤＢ１１８に記憶した映像ログ情報、視聴者実績情報、視聴者解析結果情報、及び放映効果情報を放映結果送受信手段１１７によって放映広告制御装置１０７に送信する。
【００９１】
ステップＳ１４６では、放映広告制御装置１０７において映像結果送受信手段１１２にて映像ログ情報、視聴者実績情報、視聴者解析結果情報、及び放映効果情報を受信した後、ステップＳ１４８において、受信した映像ログ情報、視聴者実績情報、視聴者解析結果情報、及び放映効果情報を映像結果送受信手段１１２によって通信手段１０６を介して外部入出力機器１０１に送信する。
【００９２】
ステップＳ１５０では、ステップＳ１４８において送信された映像ログ情報、視聴者実績情報、視聴者解析結果情報、及び放映効果情報を放映情報送受信手段１０２によって受信し、ステップＳ１５２では、ステップＳ１５０で受信した映像ログ情報、視聴者実績情報、視聴者解析結果情報、及び放映効果情報を広告放映結果ＤＢ１０５へ記憶する。尚、広告放映結果ＤＢ１０５についは、図６に示される映像ログＤＢ１１８と同等の構成を有するため説明は省略する。
【００９３】
次に、依頼者が広告の放映結果について分析を行う際の流れについて図１５に示すフローチャートを用いて説明をする。尚、本フローチャートにおける各処理ステップは、外部入出力機器１０１に備えられたＣＰＵ２００の制御下の元、処理が実行される。
【００９４】
ステップＳ２００では、図７に示される広告結果表示画面７００に備えられたメニューバー７０６に備えられた検索ボタン７０７が押下されると、広告放映結果ＤＢ１０５に記憶された各情報がディスプレイ２０９に一覧表示され、依頼者がマウス等のユーザインターフェース（不図示）を用いて参照を希望する情報が選択されたか否かを判定し、選択された場合は、選択された広告の広告ＩＤをＲＡＭ２０２へ記憶し、ステップＳ２０２へ処理を進める。
【００９５】
ステップＳ２０２では、ステップＳ２００においてＲＡＭ２０２へ記憶した広告ＩＤに対応する映像ログ情報、視聴者実績情報、視聴者解析結果情報、及び放映効果情報を取得し、ＲＡＭ２０２へ記憶する。
【００９６】
ステップＳ２０４では、ステップＳ２０２においてＲＡＭ２０２へ記憶した映像ログ情報を広告映像表示部７０１へ表示し、ステップＳ２０６では、ステップＳ２０２においてＲＡＭ２０２へ記憶した視聴者実績情報を視聴者映像表示部７０２へ表示し、ステップＳ２０８では、ステップＳ２０２においてＲＡＭ２０２へ記憶した視聴者解析結果情報を視聴者映像解析結果表示部７０３へ表示し、ステップＳ２１０では、ステップＳ２０２においてＲＡＭ２０２へ記憶した放映効果情報を取得し、放映効果算定結果表示部７０４へ表示する。
【００９７】
ステップＳ２１２では、各表示部に表示された情報を依頼者がマウス等のユーザーインタフェース（不図示）を用いて選択されたか否かを判定する。選択された場合は、ステップＳ２１４へ処理を進め、選択されていない場合は、ステップＳ２２２へ処理を進める。
【００９８】
ステップＳ２１４では、メニューバー７０６に備えられた再生ボタン７０８あるいはコマ送りボタン７０９が押下されたか否かを判定し、押下された場合は、ステップＳ２１６へ処理を進め、押下されていない場合は、ステップＳ２１８へ処理を進め、ステップＳ２１６では、ステップＳ２１２で選択された表示部の再生処理あるいはコマ送りの再生処理を行う。
【００９９】
ステップＳ２１６の処理を実行中に、ステップＳ２１８において、停止ボタン７１１が押下されたか否かを判定し、押下された場合は、再生処理あるいはコマ送りの再生処理が実行されている表示部の再生処理を停止し、押下されていない場合は、ステップＳ２２２へ処理を進める。
【０１００】
ステップＳ２２２では、メニューバー７０６に備えられた同期再生ボタン７１０が押下されたか否かを判定し、押下された場合は、ステップＳ２２４へ処理を進め、広告映像表示部７０１に表示された映像ログ情報、視聴者映像表示部７０２に表示された視聴者実績情報、視聴者映像解析結果表示部７０３に表示された視聴者解析結果情報、及び放映効果算定結果表示部７０４に表示された放映効果情報を同期して再生表示することができる。
【０１０１】
依頼者は、広告映像表示部７０１、視聴者映像表示部７０２、視聴者映像解析結果表示部７０３、及び放映効果算定結果表示部７０４の各々に表示された映像ログ情報、視聴者実績情報、視聴者解析結果情報、及び放映効果情報を同期して再生することで、放映効果の良し悪しと実際の広告映像の各シーンとの関連を確認する事ができる。
【０１０２】
更に、依頼者は、視聴者映像解析結果表示部７０３と放映効果算定結果表示部７０４とを同期させて表示することが可能となるので、視聴者解析結果情報に対する誤差を把握する事ができる。
【０１０３】
例えば、あるフレームで視聴者映像表示部７０２に表示されている人数及び公衆ディスプレイ装置１１３を向いている人数をカウントすると共に、カウントした人数と視聴者映像解析結果表示部７０３で映像解析した結果の人数及び公衆ディスプレイ装置１１３を向いている人数とを比較することで、映像解析における誤差を認識する事ができる。これによって、映像解析の精度が事前に判れば、分析する時に誤差を織り込んだ判断が容易になる。
【０１０４】
更に、依頼者は、映像解析における誤差が大きい場合、手動による視聴者解析結果情報を追加する事ができる。追加した情報は、広告放映結果ＤＢ１０５に格納され以降の分析に活用ができる。例えば、余りにも剥離した誤差が生じた場合は、ディスプレイ２０９に表示された図９に示されるデータに対して誤差が生じている箇所をマウス等のユーザインタフェースを用いて、修正値を入力することも可能である。  入力が行われた後、放映効果情報を再度算定し、広告放映結果ＤＢ１０５へ記憶される。
【０１０５】
ステップＳ２２６では、タイムフレーム切替スライダー７０５がマウス等のユーザインタフェース（不図示）を用いて操作れたか否かを判定し、操作された場合、ステップＳ２２８へ処理を進め、操作されていないと判定された場合、ステップＳ２３０へ処理を進める。
【０１０６】
ステップＳ２２８では、操作されたタイムフレーム切替スライダー７０５によって指定されるタイムフレームに対応する映像ログ情報、視聴者実績情報、視聴者解析結果情報、及び放映効果情報を、広告映像表示部７０１、視聴者映像表示部７０２、視聴者映像解析結果表示部７０３、及び放映効果算定結果表示部７０４の各々へ表示することができる。
【０１０７】
ステップＳ２３０では、メニューバー７０６に備えられた詳細分析ボタン７１２が押下されたか否かを判定し、押下されたと判定された場合は、ステップＳ２３２へ処理を進め、押下されていないと判定された場合は、処理を終了する。
【０１０８】
ステップＳ２３２では、映像ログ情報、視聴者実績情報、視聴者解析結果情報、及び放映効果情報を広告放映結果ＤＢ１０５から、広告放映内容条件情報を広告ＤＢ１１０から、広告の放映スケジュール情報を放映スケジュールＤＢ１１１から取得し、ステップＳ２３４では、取得した各情報を外部入出力機器１０１のディスプレイ２０９に表示し過去の放映実績情報を参照することが可能となり、これによって、類似する内容に対して、過去の放映実績情報と比較が可能となる事によって、今回依頼した広告効果の位置付けを依頼者が確認する事ができる。また、放映効果の相違と放映内容の相違等から、今後の広告戦略（広告内容、放映時間帯、エリア等）を立てる上での有用な情報源を収集することができる。
【０１０９】
ここでディスプレイ２０９に表示される例として、前述の図１１に示されるような付帯情報が上げられるが、この付帯情報をＲＯＭ２０１やＤＢ（不図示）へ記憶し、記憶した付帯情報をディスプレイ２０９に表示させる態様で実施される。
【０１１０】
また、ディスプレイ２０９に表示される別例として、前述の図１２に示されるような付帯情報が上げられるが、この付帯情報を広告放映内容条件情報、放映スケジュール情報、映像ログ情報、視聴者解析結果情報、及び放映効果情報に基づいて集計、算定等から作成した後、作成した付帯情報をＲＯＭ２０１やＤＢ（不図示）へ記憶し、記憶した付帯情報をディスプレイ２０９に表示させる態様で実施される。
【０１１１】
これによって、例えば、複数回に渡り広告を放映した場合、ターゲットとする視聴者（例えば、女性）の放映効果が良かった順番に放映回を並び替え、同時に各回の付帯情報（時間帯、フレーム、天気等）を表示する事で、放映効果に関する因果を見つけることが可能となる。
【０１１２】
以上、一実施形態について示したが、本発明は、例えば、方法、プログラムもしくは記録媒体等としての実施態様をとることが可能であり、具体的には、複数の機器から構成されるシステムに適用しても良いし、また、一つの機器からなる装置に適用しても良い。
【０１１３】
また、本発明におけるプログラムは、各処理方法をコンピュータが実行可能（読み取り可能）なプログラムであり、本発明の記憶媒体は、各処理方法をコンピュータが実行可能なプログラムが記憶されている。
なお、本発明におけるプログラムは、各装置の処理方法ごとのプログラムであってもよい。
【０１１４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１１５】
この場合、記録媒体から読み出されたプログラム自体が本発明の新規な機能を実現することになり、そのプログラムを記憶した記録媒体は本発明を構成することになる。
【０１１６】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１１７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１２０】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１２１】
１０１      外部入出力機器
１０６      通信手段
１０７      放映広告制御装置
１１３      公衆ディスプレイ装置
１１４      公衆ディスプレイ映像撮影装置
１１５      視聴者映像撮影装置
１１６      放映ログ確認装置
２００      ＣＰＵ
２０１      ＲＯＭ
２０２      ＲＡＭ
２０３      システムバス
２０４      入力コントローラ
２０５      ビデオコントローラ
２０６      メモリコントローラ
２０７      通信Ｉ／Ｆコントローラ
２０８      キーボード
２０９      ディスプレイ
２１０      外部メモリ
【図１】
2011095804.tif 000003
【図２】
2011095804.tif 000004
【図３】
2011095804.tif 000005
【図４】
2011095804.tif 000006
【図５】
2011095804.tif 000007
【図６】
2011095804.tif 000008
【図７】
2011095804.tif 000009
【図８】
2011095804.tif 000010
【図９】
2011095804.tif 000011
【図１０】
2011095804.tif 000012
【図１１】
2011095804.tif 000013
【図１２】
2011095804.tif 000014
【図１３】
2011095804.tif 000015
【図１４】
2011095804.tif 000016
【図１５】
2011095804.tif 000017